(57)【要約】【課題】ワンタッチで竪樋をしっかりと支持することが可能で、見栄えよく竪樋の外周に被装することのできる竪樋支持具を提供する。【解決手段】後部を壁面に固定される支持脚３と、相対向する平面視略コの字型の左右一対の挟持片１、２とからなる竪樋支持具であって、該支持脚３の前部には上記左右挟持片１、２を軸支する左右軸支部３１、３２が設けられ、上記左右挟持片１、２の各後部短辺１１、２１に凸設された左右押圧部１１１、２１１が上記左右軸支部３１、３２に回動自在に支承されるとともに、竪樋Ｂが該押圧部１１１、２１１を押圧することにより左右挟持片１、２が閉じて竪樋Ｂを支持することを特徴とする。【選択図】図２
2005016090.tif 000002
【特許請求の範囲】
【請求項１】
後部を壁面に固定される支持脚と、相対向する平面視略コの字型の左右一対の挟持片とからなる竪樋支持具であって、該支持脚の前部には上記左右挟持片を軸支する左右軸支部が設けられ、上記左右挟持片の各後部短辺に凸設された左右押圧部が上記左右軸支部に回動自在に支承されるとともに、竪樋が該押圧部を押圧することにより左右挟持片が閉じて竪樋を支持することを特徴とする竪樋支持具。
【請求項２】
上記左右挟持片の各前部短辺の端部には、相互に着脱自在に係合する係止部と係止受部とが設けられた請求項１に記載の竪樋支持具。
【請求項３】
上記左右挟持片が弾性を有する合成樹脂で構成された請求項１に記載の竪樋支持具。
【請求項４】
上記竪樋が角筒型である請求項１に記載の竪樋支持具。
【請求項５】
上記左右押圧部を回動自在に支承する回動軸が挿し込みピンである請求項１に記載の竪樋支持具。
【発明の詳細な説明】
【０００１】
【発明の属する技術分野】
本発明は、竪樋支持具に関する。さらに詳しくは、住宅等の壁面に取り付けられる竪樋をワンタッチで支持する竪樋支持具に関する。
【０００２】
【従来の技術】
従来、竪樋の取付構造としては、例えば、竪樋を挟持する一対の挟持片とその後部を壁に固定される固定脚とを結合する構造において、主として大型の竪樋を挟持した上記挟持片と、固定脚とをボルト・ナットで緊締することにより竪樋を壁面に取り付ける構造（特許文献１）や、間単に取り付けられるとともに、竪樋が揺れ動かないよう確実に保持することのできる軒天井用フランジ（特許文献２）等が知られている。
【０００３】
【特許文献１】
特開平８−２７９７８号公報（第１−４頁、第１図、第５図）
【特許文献２】
特開平７−３９６５号公報（第１−３頁、第１図、第５図）
【０００４】
【発明が解決しようとする課題】
しかしながら、施工が簡単、かつ、ワンタッチで竪樋を支持することが可能で、しかも竪樋の外周デザインとマッチして外観よく取り付けることのできる竪樋支持具を提供することは、上記した竪樋の取付構造を用いても、困難である。本発明はこのような状況の下で考え出されたものであって、一般家庭等の壁面に取り付けられ、ワンタッチで竪樋を支持することができるとともに、見栄えよく竪樋の外周に被装することのできる竪樋支持具を提供することを、その課題とする。
【０００５】
【課題を解決するための手段】
上記課題を解決するために、本発明においては、つぎのような技術的手段を講じている。すなわち、本発明によれば、後部を壁面に固定される支持脚と、相対向する平面視略コの字型の左右一対の挟持片とからなる竪樋支持具であって、該支持脚の前部には上記左右挟持片を軸支する左右軸支部が設けられ、上記左右挟持片の各後部短辺に凸設された左右押圧部が上記左右軸支部に回動自在に支承されるとともに、竪樋が該押圧部を押圧することにより左右挟持片が閉じて竪樋を支持することを特徴とする竪樋支持具が提供される。このようにすることによって、ワンタタッチで竪樋をしっかりと支持することができるとともに、見栄えよく竪樋の外周に被装することのできる竪樋支持具が提供される。
【０００６】
上記左右挟持片の各前部短辺の端部には、相互に着脱自在に係合する係止部と係止受部とを設けることが好ましい。このようにすることによって、竪樋が該押圧部を押圧することによって左挟持片と右挟持片とが内側に閉じて、竪樋をしっかりと挟持するとともに、上記係止部と係止受部とをワンタッチで係合させることができる。また、竪樋を交換、修理するとき等もワンタッチで係合を解除することができる。
【０００７】
上記左右挟持片が弾性を有する合成樹脂で構成されることが好ましい。例えば、ポリカーボネート、ポリプロピレン等の弾性を有する合成樹脂で左右挟持片を構成することにより、竪樋が弾性的に支持されるとともに、上記係止部と係止受部との係合および解除を弾性的にワンタッチで行なうことができる。
【０００８】
上記竪樋が角筒型であることが好ましい。上記竪樋を平断面略正方形ないしは略正八角形等の角筒型とすることにより、角部が係止部として作用し、しっかりと左右挟持片によって挟持され、デザイン的にも好ましいものとなる。
【０００９】
上記左右押圧部を回動自在に支承する回動軸を挿し込みピンとすることが好ましい。このようにすることによって、この挿し込みピンが上記左右軸支部および左右押圧部に穿たれた挿通孔を挿通するとともに、左右挟持片がスムースに回動するように支承する。
【００１０】
【発明の実施の形態】
以下、本発明の好ましい実施の形態について、図面を参照してさらに詳細に説明する。なお、図面において、壁面Ｗ側を後部とし、その反対側を前部と定義する。図１は、本発明にかかる竪樋支持具Ａを示す分解斜視図である。図１において、竪樋支持具Ａは、その後部３３を壁面Ｗに固定される支持脚３と、支持脚３に軸支され、相対向する平面視略コの字型の左挟持片１と右挟持片２とからなり、該支持脚３の前部には上記左右挟持片１、２を回動自在に軸支する左軸支部３１、右軸支部３２が設けられている。上記左右挟持片１、２の各後部短辺１１、２１には左右押圧部１１１、２１１が凸設され、この左右押圧部１１１、２１１には左右回動軸４１、４２としての挿し込みピンを挿通する孔が穿たれている。また、左挟持片１の前部短辺１２には係止部１２１が、また右挟持片２の前部短辺２２には係止受部２２１が設けられている。
【００１１】
つぎに、竪樋支持具Ａの動作について図２、図３を参照して説明する。図２は壁面Ｗに固定した竪樋支持具Ａの左右挟持片１、２を開き、竪樋Ｂを支持しようとする状態を示す平面図である。図２からよくわかるように、このとき、左右挟持片１、２は、左右軸支部３１、３２を挿通する左右回動軸４１、４２を中心に外側に向かって回動するため、左右押圧部１１１、２１１は逆に内側に突き出た状態となる。竪樋Ｂを取り付けるには、図２に示す⇒の方向に竪樋Ｂを押して、左右押圧部１１１、２１１を押圧する。この押圧力によって左右挟持片１、２には、内側に閉じる方向にモーメントが発生し、竪樋Ｂをしっかりと挟持するとともに、係止部１２１と係止受部２２１とがワンタッチで係合する。
【００１２】
図３は、竪樋Ｂが竪樋支持具Ａによって支持された状態を示す平面図である。このように、本発明においては、竪樋Ｂで左右押圧部１１１、２１１を押すだけのワンタッチ操作で、竪樋Ｂをしっかりと挟持して壁面Ｗに取り付けることができる。なお、本実施形態においては、左右挟持片１、２が個別に左右軸支部３１、３２によって軸支された形態について説明したが、これに限られず、左右押圧部１１１、１１２を交差させ、その交点に挿通孔を穿って一軸で軸支し、相交差して突き出した左右押圧部を竪樋Ｂで押す形態としてもよい。あるいは、平面視略コの字型の限られず、平面視略円弧型としてもよい。このように、本発明は種々に設計変更可能であり、いずれも本発明の技術的範囲に含まれる。
【００１３】
【発明の効果】
請求項１に記載の発明は、上記のとおりであり、とくに、左右挟持片１、２の各後部短辺１１、２１に凸設された左右押圧部１１１、２１１が左右軸支部３１、３２に回動自在に支承されるとともに、竪樋が該押圧部１１１、２１１を押圧することにより左右挟持片１、２が閉じて竪樋Ｂを支持することを特徴とする竪樋支持具である。このようにすることによって、ワンタッチで竪樋Ｂをしっかりと支持することができるとともに、見栄えよく竪樋Ｂを壁面Ｗに取り付けることができる。
【００１４】
請求項２に記載の発明は、上記左右挟持片１、２の各前部短辺１２、２２の端部には、相互に着脱自在に係合する係止部１２１と、係止受部２２１とが設けられる。このようにすることによって、請求項１に記載の発明の効果に加えて、内側に閉じた左挟持片１と右挟持片２とが竪樋Ｂをしっかりと挟持するとともに、上記係止部１２１と係止受部２２１とをワンタッチで係合させることができる。
【００１５】
請求項３に記載の発明は、上記左右挟持片１、２が弾性を有する合成樹脂で構成される。このようにすることにより、竪樋Ｂが弾性的に支持されるとともに、上記係止部１２１と係止受部２２１との係合および解除を弾性的にワンタッチで行なうことができる。
【００１６】
請求項４に記載の発明は、上記竪樋Ｂが角筒型とされる。竪樋Ｂを平断面略正方形ないしは略正八角形等の角筒型とすることにより、請求項１に記載の発明の効果に加えて、角部が係止部として作用し、しっかりと左右挟持片１、２によって挟持され、デザイン的にも好ましいものとなる。
【００１７】
請求項５に記載の発明は、上記左右押圧部１１１、２１１を回動自在に支承する左右回動軸４１、４２が挿し込みピンとされる。このようにすることによって、この挿し込みピンが上記左右軸支部３１、３２および左右押圧部１１１、２１１に穿たれた挿通孔を挿通するとともに、左右挟持片１、２をスムースに回動するよう支承することができる。
【図面の簡単な説明】
【図１】本発明にかかる竪樋支持具を示す分解斜視図である。
【図２】上記の左右挟持片を開き、竪樋を支持しようとする状態を示す平面図である。
【図３】上記の左右挟持片が閉じ、竪樋が支持された状態を示す平面図である。
【符号の説明】
１          左挟持片
１１        同上後部短辺
１１１      左押圧部
１２        同上前部短辺
１２１      係止部
２          右挟持片
２１        同上後部短辺
２１１      右押圧部
２２        同上前部短辺
２２１      係止受部
３          支持脚
３１        左軸支部
３２        右軸支部
３３        支持脚後部
４１        左回動軸
４２        右回動軸
Ａ          本発明にかかる竪樋支持具
Ｂ          竪樋
Ｗ          壁面
【図１】
2005016090.tif 000003
【図２】
2005016090.tif 000004
【図３】
2005016090.tif 000005